(57)【要約】【課題】外部による衝撃などから撮像振動補正装置を保護する撮像装置を提供する。【解決手段】本発明に係る撮像装置は、中空状筐体２１、筐体２１内に設けられ、入射する光を反射するプリズム２２１及び入射光を集光して照射するレンズ２２０、２２２を有するレンズセット２２を有する屈曲光学系レンズユニット２と、屈曲光学系レンズユニット２の外部にレンズの近傍に設けられ、筐体２１に取り付けられたベース３１、ベース３１に設けられた可動キャリア３２、可動キャリア３２にレンズに応じて設けられた感光素子３３及び可動キャリア３２をベース３１に対して移動可能に駆動する駆動素子３４を有する手振れ防止ユニット３と、手振れ防止ユニット３を覆ってベース３１に取り付けられている保護キャップ４と、を備えている。【選択図】図２
2013025304.tif 000002
【特許請求の範囲】
【請求項１】
中空状筐体、前記筐体内に設けられ、入射する光を反射するプリズム及び入射光を集光して照射するレンズを有するレンズセットを備えた屈曲光学系レンズユニットと、
前記屈曲光学系レンズユニットの外部に前記レンズの近傍に設けられ、前記筐体に取り付けられたベース、前記ベースに設けられた可動キャリア、前記可動キャリアに前記レンズに応じて設けられた感光素子及び前記可動キャリアを前記ベースに対して移動可能に駆動する駆動素子を有する手振れ防止ユニットと、
前記手振れ防止ユニットを覆って前記ベースに取り付けられている保護キャップと、を備えていることを特徴とする撮像装置。
【請求項２】
前記屈曲光学系レンズユニットには、前記筐体の外部に突出する第１の係止ブロックが設けられ、
前記手振れ防止ユニットには、前記第１の係止ブロックに対応して嵌合される第１の係止穴が形成されていることを特徴とする請求項１に記載の撮像装置。
【請求項３】
前記屈曲光学系レンズユニットは、ねじ穴が設けられた定位板と、前記ねじ穴に螺合されるねじボルトと、前記筐体に形成された２つの挿入孔と、を有し、
前記手振れ防止ユニットは、前記定位板に対応して設けられた定位ブロックと、前記挿入孔に対応して嵌入される２つのピンと、を有することを特徴とする請求項２に記載の撮像装置。
【請求項４】
前記手振れ防止ユニットには、前記ベースから突出する複数の第２の係止ブロックが設けられ、
前記保護キャップには、前記第２の係止ブロックに対応して複数の第２の係止穴が形成されていることを特徴とする請求項１に記載の撮像装置。
【請求項５】
前記可動キャリアは、所定の第１の方向に沿って前記ベースに対して移動可能に設けられた第１の移動枠と、前記第１の方向と直角な第２の方向に沿って前記第１の移動枠に対して移動可能に設けられた第２の移動枠と、を有することを特徴とする請求項１に記載の撮像装置。
【請求項６】
前記駆動素子は、前記ベースに取り付けられた第１の磁石と第２の磁石と、前記第２の移動枠に取り付けられた第１のコイルと第２のコイルと、前記第２の移動枠に取り付けられた第１のホール素子と第２のホール素子と、を有することを特徴とする請求項５に記載の撮像装置。
【請求項７】
屈曲光学系レンズユニットへの取付に適した撮像装置であって、
前記屈曲光学系レンズユニットに取り付けられたベース、前記ベースに取り付けられた可動キャリア、前記可動キャリアに取り付けられた感光素子及び前記可動キャリアを前記ベースに対して移動可能に駆動する駆動素子を有する手振れ防止ユニットと、
前記ベースに前記手振れ防止ユニットの外部を覆って設けられた保護キャップと、を備えていることを特徴とする撮像装置。
【請求項８】
前記手振れ防止ユニットには、前記ベースから突出する複数の第２の係止ブロックが設けられ、
前記保護キャップには、前記第２の係止ブロックに対応して複数の第２の係止穴が形成されていることを特徴とする請求項７に記載の撮像装置。
【請求項９】
前記可動キャリアは、所定の第１の方向に沿って前記ベースに対して移動可能に設けられた第１の移動枠と、前記第１の方向と直角な第２の方向に沿って前記第１の移動枠に対して移動可能に設けられた第２の移動枠と、を有することを特徴とする請求項７に記載の撮像装置。
【請求項１０】
前記駆動素子は、前記ベースに取り付けられた第１の磁石と第２の磁石と、前記第２の移動枠に取り付けられた第１のコイルと第２のコイルと、前記第２の移動枠に取り付けられた第１のホール素子と第２のホール素子と、を有することを特徴とする請求項９に記載の撮像装置。
【請求項１１】
ベース、前記ベースに取り付けられた可動キャリア、前記可動キャリアに取り付けられた感光素子及び前記可動キャリアを前記ベースに対して移動可能に駆動する駆動素子を有する手振れ防止ユニットと、
前記ベースに前記手振れ防止ユニットの外部を覆って設けられた保護キャップと、を備えていることを特徴とする撮像装置。
【発明の詳細な説明】
【技術分野】
【０００１】
本発明は、撮像装置に関し、特に手ぶれ補正機能を有する撮像装置に関する。
【背景技術】
【０００２】
従来から、手ぶれ補正機能を有する撮像装置においては、レンズの筐体を伸縮可能にして、手振れ防止機能付感知モジュールをレンズユニット及びＬＣＤ支持フレームの間に取り付けた沈胴式レンズ装置が提案されており、ＬＣＤ支持フレームによって外力による衝撃から保護されている（例えば特許文献１参照）。
【０００３】
しかしながら、レンズ装置の筐体のサイズが小さいため、撮像振動補正機構のサイズが小さく限定され、駆動する力が小さくなると共に、撮像振動補正機構が支持可能なレンズ部材の重量にも限界がある。
【０００４】
撮像振動補正機構を筐体の外部に取り付けて、撮像振動補正機構のサイズを大型化することも考えられるが、電子機器が外力による衝撃を受けたとき、撮像振動補正機構も損傷し易い問題点がある。
【０００５】
また、携帯電話や超薄型デジタルカメラなどの電子機器には反射鏡、プリズムやレンズを用いてズーム機能を備えた潜望式レンズ装置が用いられている。このような潜望式レンズ装置は、撮像振動補正機構がレンズ装置の筐体内に取り付けられたものがすでに開示されており、外部からの振動又は手振れによる像のずれを補正するようにしている（例えば特許文献２参照）。
【先行技術文献】
【特許文献】
【０００６】
【特許文献１】台湾特許出願公開番号第２０１０１４３４２号明細書
【特許文献２】台湾特許出願公開番号第２０１０３０３７０号明細書
【発明の概要】
【発明が解決しようとする課題】
【０００７】
しかしながら、撮像振動補正機構がＬＣＤ支持フレームからずれて設けられているため、外部による衝撃から撮像振動補正機構を保護することができない問題点もある。本発明は、上記問題点に鑑みてなされたものであり、外部からの衝撃などから撮像振動補正装置を保護する撮像装置を提供することを目的とする。
【課題を解決するための手段】
【０００８】
上記目的を達成するために、一の観点によれば、本発明は、中空状筐体、前記筐体内に設けられ、入射する光を反射するプリズム及び入射光を集光して照射するレンズを有するレンズセットを備えた屈曲光学系レンズユニットと、前記屈曲光学系レンズユニットの外部に前記レンズの近傍に設けられ、前記筐体に取り付けられたベース、前記ベースに設けられた可動キャリア、前記可動キャリアに前記レンズに応じて設けられた感光素子及び前記可動キャリアを前記ベースに対して移動可能に駆動する駆動素子を有する手振れ防止ユニットと、前記手振れ防止ユニットを覆って前記ベースに取り付けられている保護キャップと、を備えていることを特徴とする撮像装置を提供する。
【０００９】
他の観点によれば、本発明は、屈曲光学系レンズユニットへの取付に適した撮像装置であって、前記屈曲光学系レンズユニットに取り付けられたベース、前記ベースに取り付けられた可動キャリア、前記可動キャリアに取り付けられた感光素子及び前記可動キャリアを前記ベースに対して移動可能に駆動する駆動素子を有する手振れ防止ユニットと、前記ベースに前記手振れ防止ユニットの外部を覆って設けられた保護キャップと、を備えていることを特徴とする撮像装置をも提供する。
【００１０】
他の観点によれば、本発明は、ベース、前記ベースに取り付けられた可動キャリア、前記可動キャリアに取り付けられた感光素子及び前記可動キャリアを前記ベースに対して移動可能に駆動する駆動素子を有する手振れ防止ユニットと、前記ベースに前記手振れ防止ユニットの外部を覆って設けられた保護キャップと、を備えていることを特徴とする撮像装置をも提供する。
【発明の効果】
【００１１】
以上の構成によれば、屈曲光学系レンズユニットの外部に手振れ防止ユニットが取り付けられていることにより、手振れ防止ユニットの設置の自由度が高くなる。また、保護キャップが手振れ防止ユニットを覆って設けられているので、外部からの衝撃から手振れ防止ユニットを保護することができる。
【図面の簡単な説明】
【００１２】
【図１】デジタルカメラ本体内に配置された本発明に係る撮像装置の一実施の形態を概略的に説明する断面図である。
【図２】本発明に係る撮像装置の概略分解斜視図である。
【図３】保護キャップに対する手振れ防止ユニットの分解斜視図である。
【図４】図３の組立斜視図である。
【発明を実施するための形態】
【００１３】
（実施例）
以下、添付図面を参照しながら本発明に係る撮像装置の一実施の形態を説明する。
【００１４】
図１及び図２に示されているように、本発明に係る撮像装置は例えばデジタルカメラ本体１の内部に設けられており、屈曲光学系レンズユニット２と、手振れ防止ユニット３と、保護キャップ４と、を備えている。なお、図１においては、一般のデジタルカメラに備わっているＬＣＤ支持フレーム５も図示されている。
【００１５】
屈曲光学系レンズユニット２は、中空状筐体２１と、筐体２１内に設けられたレンズセット２２と、筐体２１の外面に突出して設けられた第１の係止ブロック２３と、ねじ穴２４が設けられた定位板２５と、定位板２５のねじ穴２４に螺合したねじボルト２６と、筐体２１に形成された例えば２つの挿入孔２７と、を有し、レンズセット２２には、光の入射方向に沿って順に光が入る第１のレンズ２２０と、入ってくる光を反射するプリズム２２１と、入射される光が出る第２のレンズ２２２と、必要に応じてプリズム２２１と第２のレンズ２２２との間に複数枚の移動可能なズームレンズと、が配置され、プリズム２２１によって入って来た光をほぼ直角にレンズセット２２側に反射する。
【００１６】
手振れ防止ユニット３は、図２〜図４に示されているように、屈曲光学系レンズユニット２の外部に第２のレンズ２２２の近傍に取り付けられていて、屈曲光学系レンズユニット２の筐体２１に取り付けられたベース３１と、ベース３１に設けられた可動キャリア３２と、可動キャリア３２に第２のレンズ２２２に応じて設けられた感光素子３３と、可動キャリア３２をベース３１に対して移動可能に駆動する駆動素子３４と、ベース３１に第１の係止ブロック２３に対応して嵌合されるように形成された第１の係止穴３５と、定位板２５に対応して設けられた定位ブロック３６と、ベース３１から突出して設けられた第２の係止ブロック３７と、挿入孔２７に対応して嵌入される例えば２つのピン３０と、を有する。
【００１７】
屈曲光学系レンズユニット２に手振れ防止ユニット３を取り付けるとき、まず、第１の係止穴３５に第１の係止ブロック２３が嵌入されて係止される。ねじボルト２６を用いて定位板２５のねじ穴２４に螺合されて定位板２５と定位ブロック３６とが固定される。また、ピン３０が挿入孔２７に対応して挿入されて固定される。なお、この形態においては筐体２１に第１の係止ブロック２３を設け、ベース３１に第１の係止穴３５を設けたが、図示しないが、筐体２１に第１の係止穴を形成し、ベース３１に第１の係止ブロックを形成してもよい。
【００１８】
可動キャリア３２は、所定の第１の方向Ｄ１に沿ってベース３１に対して移動可能に設けられた第１の移動枠３２１と、第１の方向Ｄ１と直角な第２の方向Ｄ２に沿って第１の移動枠３２１に対して移動可能に設けられた第２の移動枠３２２と、を有し、また、第１の移動枠３２１を貫通してベース３１に設けられた２本の枢軸３２３と、第２の移動枠３２２を貫通して第１の移動枠３２１に設けられた３本の枢軸３２４と、を有する。
【００１９】
駆動素子３４は、ベース３１に取り付けられた第１の磁石３４１と第２の磁石３４２と、第２の移動枠３２２に取り付けられた第１のコイル３４３と第２のコイル３４４と、第２の移動枠３２２に取り付けられた第１のホール素子３４５と第２のホール素子３４６と、から構成され、第１のコイル３４３と第２のコイル３４４と第１のホール素子３４５と第２のホール素子３４６とは、ＦＦＣ（フレキシブルフラットケーブル）配線板３８に電気的に接続されるように第２の移動枠３２２に配置され、感光素子３３は、他のＦＦＣ配線板３９に電気的に接続されるように第２の移動枠３２２に配置されている。
【００２０】
前記の構成によれば、手振れ防止ユニット３は、第１のコイル３４３及び第２のコイル３４４を用いて所定の強度を有する磁界を発生し、第１のコイル３４３及び第２のコイル３４４が第１の磁石３４１及び第２の磁石３４２に対して移動すると、第２の移動枠３２２と感光素子３３とをベース３１に対して第１の方向Ｄ１と第２の方向Ｄ２とに移動させると共に、第１のホール素子３４５と第２のホール素子３４６とを用いて第１の磁石３４１と第２の磁石３４２との位置を検出して、感光素子３３が所定位置に到達したことを確かめることによって手振れによる像のずれを補正することができる。
【００２１】
なお、第１の移動枠３２１と第２の移動枠３２２とはそれぞれ移動可能に設けられているが、可動ホルダーを用いて一体的に構成されてもよい。駆動素子３４は磁力駆動ではなく、モータなどによる駆動力で機能するものを用いてもよい。
【００２２】
保護キャップ４は、手振れ防止ユニット３の外部を覆ってベース３１に取り付けられ、ほぼ長方形をしたエンドプレート４１と、エンドプレート４１の長辺にそれぞれ連結された２つの第１のサイドプレート４２と、エンドプレート４１の短辺にそれぞれ連結された２つの第２のサイドプレート４３と、から構成され、第１のサイドプレート４２には第２の係止ブロック３７に対応して複数の第２の係止穴４４が形成されている。なお、この形態において、２つの第１のサイドプレート４２には、それぞれ２つ合計４個の第２の係止穴４が設けてある。
【００２３】
第２の係止ブロック３７が第２の係止穴４４に嵌入されて係止されると、保護キャップ４が手振れ防止ユニット３を覆って蓋をすることによって、不意の落下による衝撃などから手振れ防止ユニット３を保護することができる。
【００２４】
なお、本発明に係る撮像装置は、屈曲光学系レンズユニットへの取付に適したものである。一例として、撮像装置は、屈曲光学系レンズユニットに取り付けられたベース、ベースに取り付けられた可動キャリア、可動キャリアに取り付けられた感光素子及び可動キャリアをベースに対して移動可能に駆動する駆動素子を有する手振れ防止ユニットと、ベースに手振れ防止ユニットの外部を覆って設けられた保護キャップと、を備えている構成にしてもよい。
【００２５】
他の例として、撮像装置は、ベース、ベースに取り付けられた可動キャリア、可動キャリアに取り付けられた感光素子及び可動キャリアをベースに対して移動可能に駆動する駆動素子を有する手振れ防止ユニットと、ベースに手振れ防止ユニットの外部を覆って設けられた保護キャップと、を備えている構成にしてもよい。
【００２６】
以上の構成によれば、本発明に係る撮像装置は、屈曲光学系レンズユニット２の外部に手振れ防止ユニット３が取り付けられていることにより、手振れ防止ユニット３のサイズなどの自由度が高くなる。また、デジタルカメラ本体１と手振れ防止ユニット３との間に保護キャップ４が手振れ防止ユニット３を覆って設けられているので、外部による衝撃から手振れ防止ユニット３を保護することができる。また、手振れ防止ユニット３は、屈曲光学系レンズユニットの外部に取付可能に構成されるので、屈曲光学系レンズユニットに関係なく製造することができ、独立して点検を行うことができ、また、撮像装置の製造及び点検の過程において、保護キャップ４によって埃などの侵入から手振れ防止ユニット３を保護することができるので、撮像装置の品質を高く保つことができる。
【産業上の利用可能性】
【００２７】
本発明に係る撮像装置は、携帯電話や超薄型デジタルカメラなどの小型電子機器に有用である。
【符号の説明】
【００２８】
１  デジタルカメラ本体
２  屈曲光学系レンズユニット
２１  筐体
２２  レンズセット
２２０  第１のレンズ
２２１  プリズム
２２２  第２のレンズ
２３  第１の係止ブロック
２４  ねじ穴
２５  定位板
２６  ねじボルト
２７  挿入孔
３  手振れ防止ユニット
３０  ピン
３１  ベース
３２  可動キャリア
３２１  第１の移動枠
３２２  第２の移動枠
３２３、３２４  枢軸
３３  感光素子
３４  駆動素子
３４１  第１の磁石
３４２  第２の磁石
３４３  第１のコイル
３４４  第２のコイル
３４５  第１のホール素子
３４６  第２のホール素子
３５  第１の係止穴
３６  定位ブロック
３７  第２の係止ブロック
３８、３９  配線板
４  保護キャップ
４１  エンドプレート
４２  第１のサイドプレート
４３  第２のサイドプレート
４４  第２の係止穴
５  ＬＣＤ支持フレーム
【図１】
2013025304.tif 000003
【図２】
2013025304.tif 000004
【図３】
2013025304.tif 000005
【図４】
2013025304.tif 000006